(57)【特許請求の範囲】
【請求項１】
機体フレーム（４）前部に左右両側及び中央部の分草杆（１０´）を設け、該中央部の分草杆（１０´）を設ける部材（１０）の上側に支持板（１７）を固着して設け、該支持板（１７）の下側には穀稈を掻込移送して後側の刈刃装置（３３）へ供給する掻込スターホイル（１５）を支持軸（１６）によって回転自在に吊り下げた状態に軸支して設け、前記支持板（１７）の上側には左右穀稈移送通路（２７，２７）及び後穀稈移送通路（３２）を形成する三角形状の掻込カバー（１３）を前後調節可能に設けると共に、該掻込カバー（１３）には前記支持軸（１６）に位置する箇所に該支持軸（１６）及び前記掻込スターホイル（１５）の分解・組立用の孔（１９）を設けたことを特徴とするバインダ。
【発明の詳細な説明】
【０００１】
【発明の属する技術分野】
この発明は、バインダの穀稈掻込装置に関する。
【０００２】
【従来の技術】
複数条刈取り用のバインダでの刈取作業では、後部の刈刃装置で刈取られる穀稈は、掻込カバーで左右両側の左右穀稈移送通路へ分離され、掻込スターホイルで掻込されながら移送されて、該刈刃装置で刈取られ、後側の後穀稈移送通路へ掻込されて移送される。
【０００３】
【発明が解決しようとする課題】
バインダでの刈取作業中は、刈取する穀稈の株元の大きさによって、刈取穀稈が、例えば、大株であると、この大株の刈取穀稈は、後側の後穀稈移送通路で詰りが発生することがあり、株元の大きさの大小による適応性が低かったが、これを解消しようとすると共に、掻込スターホイルは、長時間使用すると摩耗し、交換の必要があったが、この交換のときの分解、及び組立を容易にしようとするものである。
【０００４】
【課題を解決するための手段】
このために、この発明は、機体フレーム（４）前部に左右両側及び中央部の分草杆（１０´）を設け、該中央部の分草杆（１０´）を設ける部材（１０）の上側に支持板（１７）を固着して設け、該支持板（１７）の下側には穀稈を掻込移送して後側の刈刃装置（３３）へ供給する掻込スターホイル（１５）を支持軸（１６）によって回転自在に吊り下げた状態に軸支して設け、前記支持板（１７）の上側には左右穀稈移送通路（２７，２７）及び後穀稈移送通路（３２）を形成する三角形状の掻込カバー（１３）を前後調節可能に設けると共に、該掻込カバー（１３）には前記支持軸（１６）に位置する箇所に該支持軸（１６）及び前記掻込スターホイル（１５）の分解・組立用の孔（１９）を設けたことを特徴とするバインダの構成とする。
【０００５】
【発明の作用】
複数条刈取り用のバインダでの刈取作業では、刈刃装置３３で刈取られる穀稈は、掻込カバー１３で左右両側の左右穀稈移送通路２７，２７へ分離され、掻込スターホイル１５で掻込されながら移送されて、該刈刃装置３３で刈取られ、後側の後穀稈移送通路３２へ掻込されて移送される。
【０００６】
この刈取作業のときに、刈取られる穀稈が、例えば、大株であるときは、掻込カバー１３を前方へ移動させて、左右両側の左右穀稈移送通路２７，２７、及び後側の後穀稈移送通路３２の大きさを大きくして、刈取作業を行う。又、小株であるときは、該掻込カバー１３を後方へ移動させて、左右両側の該左右穀稈移送通路２７，２７、及び後側の該後穀稈移送通路３２の大きさを小さくして、刈取作業を行う。
【０００７】
前記掻込スターホイル１５が、刈取作業中に摩耗して、掻込性能が低下したときには、掻込カバー１３の孔１９部を使用して、支持軸１６を抜き取り、この掻込スターホイル１５を取外して、新しい該掻込スターホイル１５に交換し、再度この孔１９部を使用して組立を行う。
【０００８】
【発明の効果】
刈取する穀稈の株元の大小により、掻込カバー１３を前後移動させて、左右両側の左右穀稈移送通路２７，２７、及び後側の後穀稈移送通路３２の大きさを変更することができるために、刈取穀稈は、これら左右穀稈移送通路２７，２７、及び後穀稈移送通路３２で詰りが発生することがなくなった。又、該掻込カバー１３下側の掻込スターホイル１５の交換のときには、この掻込カバー１３に設けた分解、及び組立用の孔１９部を使用して、支持軸１６を抜き取り、該掻込スターホイル１５を取外して交換することができることにより、該掻込カバー１３の取外しの必要がなくなり、このために、交換が容易であると共に、短時間で交換ができるようになった。
【０００９】
【実施例】
以下、本発明の一実施例を図面に基づいて説明する。
図例のバインダ１は、複数条刈取り用であり、走行装置２、及び刈取装置３等よりなる構成を示すものである。
前記走行装置２は、機体フレーム４下側の走行伝動ケース（図示せず）の左右両側には、車輪５を軸支して設け、該機体フレーム４上側には、原動機６を載置すると共に、ハンドル７を設け、このハンドル７には、走行操作用の各走行操作レバー８、及び穀稈刈取操作用の各刈取操作レバー９を設けている。
【００１０】
前記刈取装置３は、機体フレーム４前部の左右両側、及び中央部の各分草杆１０′で分離した穀稈を引起案内する引起装置１１を、中央の該分草杆１０′の後方で左右両側に設け、この引起装置１１，１１の後側に掻込装置１２、及び刈刃装置３３等を設けている。
中央部の前記分草杆１０′を形成する部材１０の上側には、支持板１７を固着して設け、この支持板１７には、穀稈を掻込する掻込装置１２を設け、この掻込装置１２は、中央部の該分草杆１０′の部材１０の上に三角形状の掻込カバー１３を設け、この掻込カバー１３には、前後方向への移動調節を可能にする各長孔１４を設けると共に、外周部には、下部へ向けて折曲するフランジ部を設け、この各長孔１４部を該支持板１７へボルト、及びナット等で装着した構成であり、この掻込カバー１３の後方左側部には、回転する掻込スターホイル１５を支持軸１６で吊り下げ状態に軸支させて設け、この支持軸１６の上端部は、該支持板１７へナット１８で装着し、このナット１８の着脱は、該掻込カバー１３に設けた分解、及び組立用の孔１９部から工具を挿入して行う構成とし、該ナット１８を取り外しすると、該支持軸１６を下方へ抜き取りできる構成であり、該掻込装置１２の該掻込スターホイル１５は、該掻込カバー１３を装着した状態のままで分解、及び組立ができる構成としている。又この孔１９は、長孔に形成するもよい。
【００１１】
前記掻込スターホイル１５の上部には突出部２０を設け、この突出部２０外側には、穀稈の巻付きを防止させるために、遊動する遊動パイプ２１を設け、この遊動パイプ２１外側には、該掻込スターホイル１５と同時に回転する掻込ホイルカバー２２を設けた構成としている。
前記掻込カバー１３後側には、所定幅を設けて株元を移送する株元移送ケース２３を設け、この株元移送ケース２３内には、株元移送チェン２４を張設し、この株元移送チェン２４には、移送爪２４′を設け、この移送爪２４′により、掻込スターホイル１５は回転駆動される構成であり、この掻込スターホイル１５外周部の爪部２５は、左側の分草杆１０′に設けた穀稈案内板（左）２６の上下方向の中央部に位置させて、この穀稈案内板（左）２６より、突出させた構成であり、この穀稈案内板（左）２６と該掻込カバー１３の左側部とによって、左側の左穀稈移送通路２７を形成している。右側の分草杆１０′には、穀稈案内棒２８を設け、株元伝動ケース２９下側には、掻込ホイル３０を設け、該掻込カバー１３右側部には、穀稈案内板（右）３１を設け、これら穀稈案内棒２８と穀稈案内板（右）３１とによって、右側の右穀稈移送通路２７を形成している。該掻込カバー１３後側部と該株元移送ケース２３前側部との間には、後側の後穀稈移送通路３２を形成している。該掻込カバー１３の後側には、後穀稈案内板３２′を設けている。
【００１２】
左右両側の前記左右穀稈移送通路２７，２７、及び後側の後穀稈移送通路３２の幅の大きさは、掻込カバー１３を締付けているボルトをゆるめて、前後移動させることにより、変動する構成であり、刈取する穀稈の株元が大株のときは、該掻込カバー１３は、前方位置へ移動させて装着し、小株のときは、後方位置へ移動させて装着し、標準株のときは、中間位置へ装着する構成としている。
【００１３】
刈刃装置３３は、株元移送ケース２３下側に設け、引起装置１１で上方へ向けて引起案内中、又、掻込スターホイル１５、及び掻込ホイル３０で掻込中の穀稈を刈取する構成である。
後側の前記後穀稈移送通路３２終端部の外側には、刈取穀稈を集束する集束装置３４、及びこの集束装置３４で集束された刈取穀稈を所定の束径に結束して放出する結束装置３５、及び放出装置３６等を設けた構成としている。
【００１４】
前記ハンドル７には、走行操作レバー８、及び刈取操作レバー９以外に、走行ネーマ３７、及び刈取ネーマ３８等を設け、これら走行操作レバー８、走行ネーマ３７、及び走行用ワイヤー３９等は、同色の例えば、黄色に統一し、又、これら刈取操作レバー９、刈取ネーマ３８、及び刈取用ワイヤー４０等は、同色の、例えば、緑色に統一して、操作系統によって色配けして操作の容易化、及び誤組立の防止を図る構成としている。
【００１５】
図８、及び図９は、掻込カバー１３の自動前後移動に関するもので、刈取する穀稈の株元の大きさにより、この掻込カバー１３を自動で前後移動させる構成としている。
前記掻込カバー１３の後側の折曲部と支持板１７の後側の折曲部との間に、圧縮用のスプリング４１を複数個設け、この各スプリング４１は脱落を防止した構成としている。刈取する穀稈の株元の大きさが大株の穀稈ときには、この各スプリング４１が圧縮され、該掻込カバー１３は、前方へ移動されて、該掻込カバー１３後側部と株元移送ケース２３前側部との間に形成した、後側の後穀稈移送通路３２の幅の大きさは、自動で大きくなる構成とし、又小株の穀稈のときには、該スプリング４１が伸長して、該穀稈移送通路３２の大きさは、自動で小さくなる構成としている。
【００１６】
上記により、刈取する穀稈の株元の大きさにより、刈取穀稈を移送する後穀稈移送通路３２の幅の大きさは、自動で変化することにより、この後穀稈移送通路３２で刈取穀稈は、詰りが発生することがなく、常に正常な状態で移送されることにより、このため刈取性能を向上させることができる。
【図面の簡単な説明】
【図１】要部の拡大平面図。
【図２】要部の拡大側断面図。
【図３】バインダの側面斜視図。
【図４】バインダの一部の正面図。
【図５】ハンドル部の拡大平面図。
【図６】ハンドル右側一部の側面図。
【図７】ハンドル左側一部の側面図。
【図８】他の実施例を示す図で、掻込部の拡大平面図。
【図９】他の実施例を示す図で、掻込部の側断面図。
【符号の説明】
４ 機体フレーム
１０ 部材
１０´ 分草杆
１３    刈取カバー
１５    掻込スターホイル
１６    支持軸
１７    支持板
２７    左右穀稈移送通路
３２    後穀稈移送通路
３３    刈刃装置
【図１】
0003858298.tif 000002
【図２】
0003858298.tif 000003
【図３】
0003858298.tif 000004
【図４】
0003858298.tif 000005
【図５】
0003858298.tif 000006
【図６】
0003858298.tif 000007
【図７】
0003858298.tif 000008
【図８】
0003858298.tif 000009
【図９】
0003858298.tif 000010